(57)【要約】【課題】確実にハンドスキャナのＯＮ／ＯＦＦが可能となるハンドスキャナの固定器具及び情報処理装置を提供すること。【解決手段】  ＰＯＳシステム１００のハンドスキャナ２４を有する縦型スキャナ２は、縦型スキャナ２の側面取り付けられる取付部３５に連結して設けられ、開口部４０により略コ字状に形成されるとともに、ハンドスキャナ２４を引き掛ける保持部３９と、保持部３９をハンドスキャナ２４の自重で移動させる移動機構３２と、保持部３９の移動を検知する検知手段３３と、検知手段３３により検知された保持部３９の移動により、ハンドスキャナ２４のＯＮ／ＯＦＦを行うスキャナコントローラ７２と、を備える構成とした。【選択図】      図２
2010257120.tif 000002
【特許請求の範囲】
【請求項１】
商品を読み取る読み取り部を有するヘッド部、及び、このヘッド部よりもその幅が狭く形成されたハンドルを具備するハンドスキャナの固定器具であって、
その中心側及び側面の一部に前記ハンドルの幅よりも広く形成された開口部を有し、この開口部に前記ハンドルを挿通し、前記中心側で前記ハンドスキャナを保持する保持部と、
前記ハンドスキャナを保持した前記保持部を、前記ハンドスキャナの自重で所定の位置まで移動させる移動機構と、
を備えることを特徴とするハンドスキャナの固定器具。
【請求項２】
前記移動機構は、
前記保持部の移動を案内する案内手段と、
前記保持部を弾性的に支持するとともに、前記ハンドスキャナの自重により弾性変形することで、前記保持部を移動させる弾性部材と、を具備することを特徴とする請求項１に記載のハンドスキャナの固定器具。
【請求項３】
商品を読み取る読み取り部を有するヘッド部、及び、このヘッド部よりもその幅が狭く形成されたハンドルを具備するハンドスキャナと、
その中心側及び側面の一部に前記ハンドルの幅よりも広く形成された開口部を有し、この開口部に前記ハンドルを挿通し、前記中心側で前記ハンドスキャナを保持する保持部と、
前記ハンドスキャナを保持した前記保持部を、前記ハンドスキャナの自重で第１の所定の位置から第２の所定の位置まで移動させるとともに、前記ハンドスキャナが脱離した前記保持部を、前記第２の所定の位置から前記第１の所定の位置まで移動させる移動機構と、
少なくとも前記保持部が前記第１の所定の位置に移動することで、前記読み取り部により前記商品を読み取り可能とする制御手段と、
を備えることを特徴とする情報処理装置。
【請求項４】
前記移動機構は、
前記保持部の移動を案内する案内手段と、
前記保持部を弾性的に支持するとともに、前記ハンドスキャナの自重により弾性変形することで、前記保持部を移動させる弾性部材と、を具備することを特徴とする請求項３に記載の情報処理装置。
【請求項５】
縦型スキャナをさらに具備し、
前記保持部は前記縦型スキャナに設けられることを特徴とする請求項４に記載された情報処理装置。
【請求項６】
前記案内手段は、前記縦型スキャナの側面に沿って上下方向に延設され、
前記弾性部材は、前記案内手段の延設方向に前記保持部を弾性的に支持するコイルばねであり、
前記制御手段は、前記ハンドスキャナの自重により前記弾性部材が圧縮し、前記保持部が前記案内手段に沿って前記第１の所定の位置から前記第２の所定の位置に移動することで、前記ハンドスキャナによる前記商品の読み取りを規制することを特徴とする請求項５に記載の情報処理装置。
【発明の詳細な説明】
【技術分野】
【０００１】
本発明は、バーコードをレーザ光により読み取るハンドスキャナの固定器具、及び、この固定器具を用いた情報処理装置に関する。
【背景技術】
【０００２】
店舗のレジカウンタに設けられたＰＯＳシステムの情報処理装置として、ＰＯＳターミナル及び縦型スキャナ等が用いられている。これらの情報処理装置は、例えば、ＰＯＳターミナルがレジ台に配置されるとともに、縦型スキャナはサッカー台（流し台）に配置される。
【０００３】
縦型スキャナは、光学式マーク認識によりバーコード等を読み取り可能に形成されている。縦型スキャナは、サッカー台に固定されて配置されるため、重い商品等では、縦型スキャナを用いてバーコードを読み取ることが困難なこともある。このため、ＰＯＳターミナルや縦型スキャナに光学式マーク認識によりバーコード等を読み取り可能な小型のハンドスキャナを有する縦型スキャナも知られている。
【０００４】
このようなハンドスキャナを縦型スキャナに用いる場合には、ハンドスキャナの未使用時において、レジ台、サッカー台、縦型スキャナ又はレジカウンタ等に設けられた固定器具（専用の置き台）に置かれる。このようなハンドスキャナの固定器具として、例えば、穴部を有したシート状体を折り曲げることで作成されたものが知られている（例えば、特許文献１参照）。また、ハンドスキャナを横方向に載置することで、トリガスイッチによりハンドスキャナのＯＮ／ＯＦＦが可能な置き台を有する情報処理装置も知られている（例えば、特許文献２参照）。
【発明の概要】
【発明が解決しようとする課題】
【０００５】
上述したハンドスキャナの固定器具及び情報処理装置では、次のような問題があった。即ち、ハンドスキャナの未使用時に、買い物籠等がハンドスキャナのケーブルに接触することで、固定器具からハンドスキャナが脱落する虞がある。
【０００６】
また、上述した、ハンドスキャナのＯＮ／ＯＦＦが可能な情報処理装置では、縦型スキャナ等のハンドスキャナを載置する置き台（固定器具）を設けるスペースが制限される情報処理装置では、適用が困難である。さらに、この置き台は、情報処理装置の筐体の一部により形成されている。このため、情報処理装置の形状によっては、設けることができない場合もある。また、置き台へのハンドスキャナの載置によっては、ハンドスキャナとトリガスイッチとの接触不良により、ハンドスキャナのＯＮ／ＯＦＦが成されないこともある。
【０００７】
そこで本発明は、ハンドスキャナの脱落を防止するとともに、ハンドスキャナを固定器具から脱離させたときに、ハンドスキャナにより商品の読み取りを行うことが可能なハンドスキャナの固定器具及び情報処理装置を提供することを目的としている。
【課題を解決するための手段】
【０００８】
前記課題を解決し目的を達成するために、本発明のハンドスキャナの固定器具、及び、情報処理装置は次のように構成されている。
【０００９】
本発明の一態様として、商品を読み取る読み取り部を有するヘッド部、及び、このヘッド部よりもその幅が狭く形成されたハンドルを具備するハンドスキャナの固定器具であって、その中心側及び側面の一部に前記ハンドルの幅よりも広く形成された開口部を有し、この開口部に前記ハンドルを挿通し、前記中心側で前記ハンドスキャナを保持する保持部と、前記ハンドスキャナを保持した前記保持部を、前記ハンドスキャナの自重で所定の位置まで移動させる移動機構と、を備えることを特徴とするハンドスキャナの固定器具が提供される。
【００１０】
本発明の一態様として、商品を読み取る読み取り部を有するヘッド部、及び、このヘッド部よりもその幅が狭く形成されたハンドルを具備するハンドスキャナと、その中心側及び側面の一部に前記ハンドルの幅よりも広く形成された開口部を有し、この開口部に前記ハンドルを挿通し、前記中心側で前記ハンドスキャナを保持する保持部と、前記ハンドスキャナを保持した前記保持部を、前記ハンドスキャナの自重で第１の所定の位置から第２の所定の位置まで移動させるとともに、前記ハンドスキャナが脱離した前記保持部を、前記第２の所定の位置から前記第１の所定の位置まで移動させる移動機構と、少なくとも前記保持部が前記第１の所定の位置に移動することで、前記読み取り部により前記商品を読み取り可能とする制御手段と、を備えることを特徴とする情報処理装置が提供される。
【発明の効果】
【００１１】
本発明によれば、ハンドスキャナの脱落を防止するとともに、ハンドスキャナを固定器具から脱離させたときに、ハンドスキャナにより商品の読み取りを行うことが可能となる。
【図面の簡単な説明】
【００１２】
【図１】本発明の一実施の形態に係るＰＯＳシステムの構成を示す斜視図。
【図２】同ＰＯＳシステムに用いられる縦型スキャナ及びハンドスキャナの構成を示す斜視図。
【図３】同ハンドスキャナを保持する固定器具の構成を示す斜視図。
【図４】同固定器具の構成を模式的に示す断面図。
【図５】同縦型スキャナの構成を模式的に示すブロック図。
【図６】本発明の変形例に係る固定器具の構成を模式的に示す断面図。
【図７】本発明の変形例に係る固定器具の構成を模式的に示す断面図。
【発明を実施するための形態】
【００１３】
以下、本発明の一実施の形態に係るＰＯＳシステム１００を図１〜５を用いて説明する。  
図１は本発明の一実施の形態に係るＰＯＳシステム１００の構成を示す斜視図、図２は同ＰＯＳシステム１００に用いられる縦型スキャナ２及びハンドスキャナ２４の構成を示す斜視図、図３は同ハンドスキャナ２４を保持する固定器具２５の構成を示す斜視図、図４は同固定器具２５の構成を示す分解斜視図、図５は同固定器具２５の要部構成を示す分解斜視図、図６は同縦型スキャナ２の構成を模式的に示すブロック図である。なお、図１〜６中、Ｄはボルトを、Ｂはバスラインを、Ｋはケーブルを、Ｓは信号線をそれぞれ示している。
【００１４】
図１に示すように、ＰＯＳシステム１００は、スーパ等のレジカウンタ２００に設けられている。ＰＯＳシステム１００は、情報処理装置として、ＰＯＳターミナル１と、ハンドスキャナ２４を有する縦型スキャナ２と、を備えている。
【００１５】
レジカウンタ２００は、レジ台２０１と、サッカー台２０２とを備えている。例えば、レジカウンタ２００は、レジ台２０１とサッカー台２０２とをＬ字状に並設させて構成されている。なお、レジカウンタ２００は、Ｌ字状でなくとも良く、レジ台２０１及びサッカー台２０２の一方でも良いし、これら以外であってもよい。
【００１６】
ＰＯＳターミナル１は、レジ台２０１上に配置されている。ＰＯＳターミナル１は、筐体１０と、キーボード１１と、オペレータ用ディスプレイ１２と、カスタマ用ディスプレイ１３と、プリンタ１４と、ドロワ１５と、を備えている。また、ＰＯＳターミナル１は、サーバや縦型スキャナ２と接続する通信インターフェイスを備えている。
【００１７】
図１，２に示すように、縦型スキャナ２は、サッカー台２０２に固定されている。縦型スキャナ２は、固定スキャナ２０と、キーボード２１と、オペレータ用ディスプレイ２２と、カスタマ用ディスプレイ２３と、ハンドスキャナ２４と、を備えている。また、縦型スキャナ２は、その側面２ａであって、例えばオペレータ用ディスプレイ２２の下方に、ハンドスキャナ２４用の固定器具２５が設けられている。なお、縦型スキャナ２の側面２ａには、例えば、固定器具２５が設けられるとともに、固定器具２５の移動を案内する案内レール（案内手段）２ｂが側面２ａに沿って上下方向に延設されている。
【００１８】
固定スキャナ２０は、商品に付与されたバーコードを光学的に走査して読み取る、所謂、光学式マーク認識（ＯＭＲ：Optical Mark Recognition）機能を有している。固定スキャナ２０は、バーコードを光学的に走査して読み取るためのレーザ光を発生させるとともに、この発生させたレーザ光をバーコードに走査させることで、バーコードに記載された情報を読み取り可能に形成されている。オペレータ用ディスプレイ２２は、例えば、タッチパネル式ディスプレイが用いられる。
【００１９】
図２に示すように、ハンドスキャナ２４は、光学式マーク認識機能を有している。即ち、ハンドスキャナ２４は、固定スキャナ２０と同様に、商品に付与されたバーコードを認識可能に形成されている。ハンドスキャナ２４は、ハンドル２６と、ヘッド部２７と、認識部（読み取り部）２８と、ケーブルＫと、を備えている。
【００２０】
ハンドル２６は、オペレータが把持可能な棒状に形成されている。また、ハンドル２６は、ハンドル２６の少なくとも一端側の幅がハンドル２６の胴部の幅より若干狭く形成されている。
【００２１】
ヘッド部２７は、ハンドル２６の一端側から連続して設けられている。ヘッド部２７は、ハンドル２６の幅よりもその幅が広く形成されている。また、ヘッド部２７は、ハンドル２６から屈曲又は湾曲して一体に設けられる。即ち、ハンドスキャナ２４は、ヘッド部２７がハンドル２６に屈曲して設けられることで、ハンドスキャナ２４の側面形状はへ字状に形成されている。また、ハンドスキャナ２４は、ハンドル２６の幅が狭い一端側に、ハンドル２６の幅よりも広い幅のヘッド部２７が連続して設けられている。このため、ハンドスキャナ２４は、ハンドル２６とヘッド部２７との連続部が括れている。
【００２２】
認識部２８は、例えば、レーザ光の発射と、光学的に走査してバーコードの読み取りが可能に形成されている。ケーブルＫは、例えば、縦型スキャナ２に接続されている。
【００２３】
固定器具２５は、ハンドスキャナ２４を保持（載置）可能に形成されている。図２に示すように、固定器具２５は、縦型スキャナ２の側面２ａに設けられた案内レール２ｂにボルトＤ等を挿通させることで、案内レール２ｂの延設方向に沿って移動可能に設けられている。
【００２４】
具体的には、図２〜４に示すように、固定器具２５は、ハンドスキャナ２４を引き掛ける本体部３１と、本体部３１を案内レール２ｂに沿って移動可能に側面２ａに取付ける移動機構３２と、本体部３１の移動を検知する検知手段３３と、を備えている。
【００２５】
本体部３１は、縦型スキャナ２の側面にボルトＤ等で取り付けられる取付部３５と、取付部３５に設けられ、ハンドスキャナ２４を引き掛けて保持する引掛部３６と、引掛部３６に設けられ、ハンドスキャナ２４の一部と当接する当接部材３７と、を備えている。
【００２６】
取付部３５は、例えば、方形であって、ボルトＤが挿通するボルト穴を有している。引掛部３６は、取付部３５の下面側に設けられている。引掛部３６は、取付部３５に連続して接続された連結部材３８と、この連結部材３８に接続された保持部３９と、を備えている。
【００２７】
連結部材３８は、取付部３５の下面から突出して設けられている。具体的には、連結部材３８は、固定器具２５が縦型スキャナ２に固定された場合に、鉛直方向に突出するように、取付部３５に延設されている。
【００２８】
保持部３９は、連結部材３８の端側であって、連結部材３８の延設方向に直交する方向に屈曲して設けられている。具体的には、保持部３９は、取付部３５が案内レール２ｂに設けられた場合に、縦型スキャナ２の側面２ａから離間する方向に延出して設けられる。
【００２９】
保持部３９は、その中心側と中心側と連続する側面の一部とが開口する開口部４０を有する板状に設けられている。例えば、図３に示すように、保持部３９は、開口部４０により略コ字状に形成されている。なお、開口部４０は、ハンドスキャナ２４のハンドル２６、又は、ハンドル２６とヘッド部２７との連続部にある括れが挿通可能に形成されている。
【００３０】
言い換えると、保持部３９は、連結部材３８の延設方向に直交する方向に設けられ、所定の幅を有する第１保持部４１と、この第１保持部４１の端側の側面に設けられ、第１保持部４１と同一方向に突出し、互いに対向する２つの第２保持部４２と、を有している。即ち、保持部３９は、第１保持部４１と第２保持部４２とが一体に設けられることで構成され、第１保持部４１の側面から、互いに対向する第２保持部４２間の空間とにより開口部４０が形成される。このため、第２保持部４２間の幅は、少なくとも、ハンドスキャナ２４のハンドル２６が通過可能な幅に形成されている。
【００３１】
また、保持部３９は、その上面、即ち、第１保持部４１及び第２保持部４２の上面に設けられた保持面４３を有している。この保持面４３は、ハンドスキャナ２４を開口部４０に挿通させてフリー状態とし、重力により重力方向にハンドスキャナ２４が移動した際に、ヘッド部２７を保持する。なお、保持面４３の形状は、ヘッド部２７の形状により適宜設定可能である。
【００３２】
当接部材３７は、例えば、第２保持部４２の、互いに対向する面（内面４２ａ）に設けられている。当接部材３７は、例えば、所定の摩擦係数を有する弾性部材により形成されている。また、当接部材３７は、内面４２ａに設けることで、互いに対向する当接部材３７間の間隔が、ハンドル２６の幅と略同一、又は、ハンドル２６の幅より若干狭い間隔となる厚さに形成されている。
【００３３】
移動機構３２は、案内レール２ｂと、取付部３５及び案内レール２ｂを挿通する複数（本実施の形態では２本）のボルトＤと、このボルトＤ及び本体部３１を案内レール２ｂの延設方向（本実施の形態では、鉛直方向）に弾性的に支持する弾性部材４４と、を備えている。
【００３４】
ボルトＤは、案内レール２ｂに挿通後、案内レール２ｂから脱離しないストッパ等が設けられている。なお、このストッパは、ボルトＤが案内レール２ｂを移動可能であれば、例えば、ナットを螺合してもよいし、他の構成品を用いてもよい。
【００３５】
弾性部材４４は、例えば、縦型スキャナ２の内側面に設けられた座部２ｃに設けられる。弾性部材４４は、本体部３１がフリーの状態、即ち、ハンドスキャナ２４を保持しない状態で、ボルトＤを案内レール２ｂの最上部（第１の所定の位置）に保持可能に形成されている。
【００３６】
また、弾性部材４４は、ハンドスキャナ２４の自重（重量）により弾性変形可能に形成されている。これにより、弾性部材４４は、保持部３９にハンドスキャナ２４が保持された状態で、案内レール２ｂの最下部（第２の所定の位置）にボルトＤを移動可能に形成されている。このような弾性部材４４は、例えば、コイルばね等が用いられる。これらのように、移動機構３２は、弾性部材４４の弾性変形によって、本体部３１を案内レール２ｂに沿って往復動可能に形成されている。
【００３７】
検知手段３３は、揺動部４６を有し、揺動部４６が回動又は揺動することで、ＯＮ／ＯＦＦ（導通／非導通）が機械的に切り替わるスイッチ４７と、スイッチ４７に信号線Ｓにより接続されたスイッチコントローラ７４と、を備えている。検知手段３３は、揺動部４６が操作された場合に、信号線Ｓを解してその情報を後述するスイッチコントローラ７４に送信可能に接続されている。
【００３８】
スイッチ４７は、本体部３１（ボルトＤ）が案内レール２ｂの最下部に位置することで、揺動部４６がボルトＤにより操作可能に縦型スキャナ２に設けられている。図４の二点鎖線４６に示すように、検知手段３３は、座部２ｃに設けられ、案内レール２ｂの最下部にボルトＤが移動することで、ボルトＤにより揺動部４６が操作される。
【００３９】
次に、図５の縦型スキャナ２のブロック図を用いて、縦型スキャナ２の構成を説明する。  
図５に示すように、縦型スキャナ２は、制御の中枢としてＣＰＵやチップセットで構成された制御部７０を搭載している。この制御部７０は、記憶部７１、スキャナコントローラ７２、通信インターフェイス（Ｉ／Ｆ）７３、スイッチコントローラ７４、操作手段コントローラ７５、ディスプレイコントローラ７６がアドレスバスやデータバス等のバスラインＢを介して接続されている。
【００４０】
チップセットは、データ受渡しの管理等の情報流通を制御し、ＣＰＵとバスラインＢとを接続するために用いられるノースブリッジと、各種コントローラ等の機能を有するサウスブリッジとを備えている。
【００４１】
記憶部７１は、ＲＯＭ（Read Only Memory）、ＲＡＭ（Random Access Memory）、ＢＩＯＳ−ＲＯＭ（Basic Input/Output System-Read Only Memory）、ハードディスク（ＨＤＤ）等により構成されている。例えば、ＲＯＭは、制御部７０の制御動作を実行させるプログラム等を予め格納している。ＲＡＭは、制御部７０が演算処理に使用する各種のメモリエリアを形成する。ＢＩＯＳ−ＲＯＭには、各ハードウェアを初期化する際に実行されるテストプログラムであるＰＯＳＴ（Power-On Self Test）、ＢＩＯＳドライバ、ＶＧＡ（Video Graphics Array）ドライバ等が記録されている。
【００４２】
スキャナコントローラ７２は、固定スキャナ２０及びハンドスキャナ２４に、信号線ＳやケーブルＫ等により接続されている。スキャナコントローラ７２は、固定スキャナ２０及びハンドスキャナ２４のレーザ光の発生・停止が可能に形成されている。即ち、スキャナコントローラ７２は、レーザ光の発生及び停止を行うことで、各スキャナ２０，２４のＯＮ及びＯＦＦが可能に形成されている。スキャナコントローラ７２は、固定スキャナ２０及びハンドスキャナ２４により読み取ったバーコードの情報を受信可能に形成されている。
【００４３】
通信Ｉ／Ｆ７３は、例えば、ＰＯＳターミナル１の通信Ｉ／Ｆや、サーバシステムと接続可能に形成されている。
【００４４】
スイッチコントローラ７４は、スイッチ４７の揺動部４６の操作情報を受信可能に形成されている。また、スイッチコントローラ７４は、受信した揺動部４６の操作情報を、スキャナコントローラ７２に送信可能に形成されている。例えば、スイッチコントローラ７４は、揺動部４６の操作情報を受信した場合には、スキャナコントローラ７２にこの情報を送信する。スキャナコントローラ７２は、この情報の受信毎に、ハンドスキャナ２４をＯＮからＯＦＦへと切換可能に形成されている。
【００４５】
操作手段コントローラ７５は、操作手段であるテンキー等のキーボード２１と、オペレータ用ディスプレイ２２と、に接続されている。操作手段コントローラ７５は、キーボード２１及びディスプレイ２２から入力された情報を受信するとともに、ディスプレイコントローラ７６に送信可能に形成されている。
【００４６】
ディスプレイコントローラ７６は、オペレータ用ディスプレイ２２及びカスタマ用ディスプレイ２３に接続されている。ディスプレイコントローラ７６は、操作手段コントローラ７５から受信した情報、及び、固定スキャナ２０又はハンドスキャナ２４で読み取ったバーコードの情報を各ディスプレイ２２、２３に表示可能に形成されている。即ち、ディスプレイコントローラ７６は、各ディスプレイ２２、２３に対するメッセージ等の表示を行うとともに、操作手段コントローラ７５に接続された各操作手段に応じた入力データの取り込み処理を行う。
【００４７】
なお、制御部７０は、主要な機能として、少なくともハンドスキャナ２４が固定器具２５の引掛部３２保持された状態から離脱した状態で、ハンドスキャナ２４の認識部２８によってバーコードの読み取りを可能とする制御機能を有している。具体的には、制御部７０は、スキャナコントローラ７２によりハンドスキャナ２４のＯＮ／ＯＦＦの切換をさせる制御機能を有している。
【００４８】
この制御機能は、ハンドスキャナ２４を固定器具２５の引掛部３６に保持させた場合にハンドスキャナ２４をＯＦＦとし、ハンドスキャナ２４が引掛部３６から脱離した場合にハンドスキャナ２４をＯＮとする機能である。
【００４９】
即ち、揺動部４６が操作された場合には、この操作情報をスイッチコントローラ７４がスキャナコントローラ７２に送信する。スキャナコントローラ７２は、操作情報に基いてハンドスキャナ２４をＯＦＦにする。なお、揺動部４６がフリーの場合には、スキャナコントローラ７２はハンドスキャナ２４を常時ＯＮとする。
【００５０】
このように構成されたＰＯＳシステム１００のハンドスキャナ２４の使用について、以下説明する。  
基本的動作として、バーコードの読み取り時においては、固定器具２５からハンドスキャナ２４を脱離させて、読み取りを行うバーコードに認識部２８を近づけて、バーコードの読み取りを行う。また、バーコードの読み取り終了後、即ち、バーコードの読み取り時以外は、ハンドスキャナ２４を固定器具２５の引掛部３６に引き掛けることで、ハンドスキャナ２４を保持部３９に保持させる。
【００５１】
次に、ハンドスキャナ２４を用いたバーコードの読み取りについて説明する。  
先ず、バーコードの読み取りを行う際に、固定器具２５の開口部４０からハンドスキャナ２４を脱離させる。このとき、ハンドスキャナ２４は、第２保持部４２間及び当接部材３７間を通過（移動）する。互いに対向する当接部材３７の間隔は、ハンドル２６とヘッド部２７との連続部の括れよりも狭く形成されている。
【００５２】
このため、ハンドル２６とヘッド部２７との連続部又はハンドル２６と、当接部材５１とが接触（当接）する。ここで、当接部材３７は、摩擦係数を有する弾性部材により形成されている。このため、当接部材３７は、ハンドル２６に抵抗を付与することとなる。オペレータは、ハンドル２６を当接部材３７に摺動させながら、ハンドスキャナ２４を固定器具２５から脱離させる。
【００５３】
ハンドスキャナ２４が固定器具２５から脱離すると、固定器具２５はフリーとなる。このため、弾性部材４４の復元力により、本体部３１は、案内レール２ｂの最上部に移動する。本体部３１の移動により、ボルトＤは、揺動部４６から離間し、揺動部４６は、フリーとなる。これにより、スキャナコントローラ７２は、ハンドスキャナ２４をＯＮ状態とする。
【００５４】
ハンドスキャナ２４は、ＯＮ状態となることで、認識部２８からレーザ光を発射する。オペレータは、ハンドスキャナ２４から発射されるレーザ光をバーコードに照らすことで、バーコードが光学的に操作され、バーコードの情報を読み込む。即ち、レーザ光を発射し、バーコードの情報（商品の情報）を読み込み可能となる。
【００５５】
制御部７０は、読み込まれた情報を、通信Ｉ／Ｆ７３に接続されたサーバ等に記憶された商品情報とバーコードの情報とを比較し、同一情報を検索する。バーコードの情報と同一の商品情報を検索後、制御部７０は、ディスプレイコントローラ７６にこの情報を送信し、各ディスプレイ２２、２３に表示させる。
【００５６】
次に、ハンドスキャナ２４の保持について説明する。  
先ず、バーコードの読み取り終了後、ハンドスキャナ２４のハンドル２６を開口部４０に挿入する。開口部４０にハンドル２６を挿入後、ハンドル２６を放すと、ハンドスキャナ２４は重力方向に落下する。本体部３１は、ハンドスキャナ２４を保持面４３で保持するとともに、ハンドスキャナ２４の重量で案内レール２ｂ沿って案内レール２ｂの最下部へと移動する。
【００５７】
ボルトＤは、案内レール２ｂの最下部へ移動することで、スイッチ４７の揺動部４６を操作する。この揺動部４６の操作情報に基いて、スキャナコントローラ７２は、ハンドスキャナ２４をＯＦＦ状態とする。ハンドスキャナ２４がＯＦＦとなることで、レーザ光の発射が停止され、バーコードの読み込みが規制される、即ち、バーコードの読み取りが不可能となる。
【００５８】
このように構成されたＰＯＳシステム１００によれば、ハンドスキャナ２４の重量により案内レール２ｂに沿った本体部３１の移動により、固定器具２５によるハンドスキャナ２４の保持を検知し、ハンドスキャナ２４をＯＦＦ状態とすることが可能となる。これにより、ハンドスキャナ２４を固定器具２５により保持させるだけで、レーザ光が認識部２８から発射されない。このため、固定器具２５にハンドスキャナ２４を保持させた際に、ハンドスキャナ２４がずれる等によりレーザ光がカスタマの目等に当たることもない。これにより、カスタマを不快にさせる虞がない。
【００５９】
また、固定器具２５からハンドスキャナ２４を脱離させることで、レーザ光が発射され、バーコードを読み取ることが可能となる。即ち、バーコードの読み取り時のみレーザ光を発射することが可能となる。このため、これにより、ハンドスキャナ２４を固定器具から脱離させたときに、ハンドスキャナ２４の認識部２８によりバーコードの読み取りを確実に行うことできるだけでなく、無駄なレーザ光の発射を防止し、省エネとすることが可能となる。
【００６０】
さらに、第２保持部４２の内面４２ａに、所定の摩擦係数を有する当接部材３７を、互いに対向する間隔がハンドル２６の幅と略同一、又は、ハンドル２６の幅よりも狭く配置させることで、ハンドスキャナ２４が固定器具２５から脱離することを防止可能となる。例えば、商品登録時や、レジカウンタ２００にカスタマが買い物籠を載置する際に、ハンドスキャナ２４に設けられたケーブルＫに触れることで、ハンドスキャナ２４が移動してもハンドスキャナ２４にはハンドル２６と当接部材３７との間に所定の摩擦力が発生する。即ち、ハンドスキャナ２４と当接部材３７との間には所定の抵抗が発生し、この抵抗によりハンドスキャナ２４が固定器具２５から脱離しない。
【００６１】
上述したように本実施の形態に係るＰＯＳシステム１００によれば、ハンドスキャナ２４自体の重量により本体部３１を移動させて、ハンドスキャナ２４の保持を検知手段３３により検知することで、ハンドスキャナ２４の保持時にハンドスキャナ２４をＯＦＦとすること可能となる。これにより、ハンドスキャナ２４の使用状況によって、確実にハンドスキャナ２４をＯＮ／ＯＦＦすることが可能となる。
【００６２】
また、当接部材３７により、ハンドスキャナ２４と保持部３９との間に抵抗を発生させることで、固定器具２５からハンドスキャナ２４が脱離することを防止できる。
【００６３】
なお、本発明は前記実施の形態に限定されるものではない。上述した例では、固定器具２５は、本体部３１を案内レール２ｂに沿って移動可能することで、ハンドスキャナ２４のＯＮ／ＯＦＦを行うとしたが、これに限られない。
【００６４】
以下、本発明の変形例に係る固定器具２５Ａを用いたＰＯＳシステム１００について、図６を用いて説明する。なお、固定器具２５と同一構成には、同一符号を付し、その詳細な説明は省略する。
【００６５】
固定器具２５Ａは、ハンドスキャナ２４を保持（載置）可能に形成されている。具体的には、図６に示すように、固定器具２５Ａは、ハンドスキャナ２４を引き掛ける本体部３１Ａと、本体部３１Ａを移動させる移動機構３２Ａと、本体部３１Ａの移動を検知する検知手段３３と、を備えている。
【００６６】
本体部３１Ａは、縦型スキャナ２の側面２ａにボルト等で取り付けられる取付部３５Ａと、取付部３５Ａに設けられ、ハンドスキャナ２４を引き掛けて保持する引掛部３６Ａと、引掛部３６Ａに設けられた当接部材３７と、を備えている。
【００６７】
取付部３５Ａは、ボルト孔を有し、縦型スキャナ２の側面２ａにボルトＤ等により固定される。また、取付部３５Ａは、下方に接続部（案内手段）５２を有している。引掛部３６Ａは、接続部５２に回動自在に設けられた連続部５３及び保持部３９と、を備えている。なお、接続部５２は、取付部３５Ａに対して保持部３９を含めて連続部５３を回動（移動）可能に案内するヒンジ機構である。
【００６８】
移動機構３２Ａは、例えば、縦型スキャナ２の側面２ａに固定された弾性部材４４と、取付部３５Ａの接続部５２により構成されている。弾性部材４４は、側面２ａに設けられた座部２ｄ及び本体部３１Ａの連続部５３にそれぞれ接続されている。弾性部材４４は、保持部３９がフリーの状態で、保持部３９が側面２ａから離間するように、連続部５３を押圧可能に形成されている。また、弾性部材４４は、図６の二点鎖線３６Ａに示すように、保持部３９にハンドスキャナ２４が保持された場合には、ハンドスキャナ２４の重量により、保持部３９が側面２ａ側に回動可能に形成されている。即ち、弾性部材４４は、ハンドスキャナ２４の重量によって、側面２ａに保持部３９が当接する位置（第２の所定の位置）に保持部３９を回動可能な弾性係数を有するコイルばね等が用いられる。また、弾性部材４４は、ハンドスキャナ２４が脱離した状態（フリーの状態）で、弾性部材４４が復元力により復元し、保持部３９を回動させることで、ハンドスキャナ２４の重量により移動する前の位置（第１の所定の位置）に保持部３９を移動可能に形成されている。
【００６９】
検知手段３３のスイッチ４７は、保持部３９が側面２ａ側に回動することで、揺動部４６が連続部５３により操作可能に縦型スキャナ２の側面２ａから突出して配置されている。
【００７０】
このように構成された固定器具２５Ａを用いたＰＯＳシステム１００によれば、保持部３９にハンドスキャナ２４を保持させると、ハンドスキャナ２４の重力により、保持部３９が接続部５２を回転中心に回動（移動）する。回動した保持部３９及び連続部５３は側面２ａ（第２の所定の位置）に当接し、揺動部４６を操作する。この操作に基いて、スキャナコントローラ７２がハンドスキャナ２４をＯＦＦとする。
【００７１】
このように構成された固定器具２５Ａを用いたＰＯＳシステム１００によれば、上述した固定器具２５を用いた場合と同等の効果を得ることができる。
【００７２】
また、図７に示すように、ヒンジ機構である接続部５２を、保持部３９のみ回動させる本体部３１Ｂを有する固定器具２５Ｂとしてもよい。即ち、引掛部３６Ｂとして、取付部３５Ｂと連続する連続部５３の下方に接続部５２を設け、ハンドスキャナ２４の重量により、保持部３９のみを回動させる。なお、このとき、移動機構３２Ｂには、接続部５２と、弾性部材としてねじりバネ５６とを用いてもよい。また、揺動部４６を操作する操作部５７を、保持部３９の下面に設ける。これにより、上述した固定器具２５，２５Ａと同等の効果を得ることが可能となる。
【００７３】
また、固定器具２５Ａ，２５Ｂの構成とすることで、本体部３１Ａ，３１Ｂは回動する。これにより、検知手段３３を操作するために、鉛直方向に移動しなくて良い。これにより、固定器具２５の移動距離を有さない、即ち、高さが低いＰＯＳターミナルや縦型スキャナ等の情報処理装置に用いることが可能となる。
【００７４】
また、上述した弾性部材４４は、コイルばねを用いるとしたが、コイルばねに限定されない。弾性部材４４は、他の種類のばねであってもよく、また、復元力を有する樹脂材料であってもよい。
【００７５】
また、固定器具２５〜２５Ｂは、ハンドスキャナ２４のハンドル２６の寸法や形状によって、開口部４０の広さ、及び、当接部材３７の形状や寸法を適宜変更することで、様々なハンドスキャナ２４に適用できる。
【００７６】
さらに、検知手段３３は、上述した構成でなくてもよく、マイクロＳＷやボタン式ＳＷでもよく、また、近接センサを用いてもよい。即ち、ハンドスキャナ２４の重量により可動する本体部３１〜３１Ｂの移動を検知可能であればよい。
【００７７】
また、上述した例では、認識部２８は、レーザ光を発射するとしたが、これに限定されない。認識部として、レーザ光でなく、例えばＣＣＤカメラによって商品を読み取り可能としてもよく、また、バーコードでなく二次元コードを読み取り可能であってもよい。
【００７８】
また、上述した例では、制御部７０は、主要な機能として、ハンドスキャナ２４のＯＮ／ＯＦＦを行う制御機能を有しているとしたが、これに限定されない。例えば、認識部にＣＣＤカメラを用いた場合には、レーザ光がカスタマ等に照射される恐れがない。このため、少なくともハンドスキャナ２４が固定器具２５の引掛部３６に保持された状態から離脱した状態で、認識部２８によって商品の読み取りが可能であれば適宜設定可能である。この他、本発明の要旨を逸脱しない範囲で種々変形実施可能である。
【符号の説明】
【００７９】
１…ＰＯＳターミナル、２…縦型スキャナ、２ａ…側面、２ｂ…案内レール（案内手段）、２ｃ、２ｄ…座部、１０…筐体、１１…キーボード、１２…オペレータ用ディスプレイ、１３…カスタマ用ディスプレイ、１４…プリンタ、１５…ドロワ、２０…固定スキャナ、２１…キーボード、２２…オペレータ用ディスプレイ、２３…カスタマ用ディスプレイ、２４…ハンドスキャナ、２５、２５Ａ、２５Ｂ…固定器具、２６…ハンドル、２７…ヘッド部、２８…認識部（読み取り部）、３１、３１Ａ、３１Ｂ…本体部、３２，３２Ａ，３２Ｂ…移動機構、３３…検知手段、３５、３５Ａ、３５Ｂ…取付部、３６、３６Ａ、３６Ｂ…引掛部、３７…当接部材、３８…連結部材、３９…保持部、４０…開口部、４１…第１保持部、４２…第２保持部、４２ａ…内面、４３…保持面、４４…弾性部材、４６…揺動部、４７…スイッチ、５１…当接部材、５２…接続部（案内手段）、５３…連続部、５６…ねじりバネ、５７…操作部、７０…制御部、７１…記憶部、７２…スキャナコントローラ、７３…通信インターフェイス、７４…スイッチコントローラ、７５…操作手段コントローラ、７６…ディスプレイコントローラ、１００…ＰＯＳシステム、２００…レジカウンタ、２０１…レジ台、２０２…サッカー台、Ｂ…バスライン、Ｄ…ボルト、Ｋ…ケーブル、Ｓ…信号線。
【先行技術文献】
【特許文献】
【００８０】
【特許文献１】特開２００２−１４０６６１号公報
【特許文献２】特開平５−３４２４７４号公報
【図１】
2010257120.tif 000003
【図２】
2010257120.tif 000004
【図３】
2010257120.tif 000005
【図４】
2010257120.tif 000006
【図５】
2010257120.tif 000007
【図６】
2010257120.tif 000008
【図７】
2010257120.tif 000009